(57)【要約】      （修正有）【課題】簡易認証によるユーザの利便性を保ちつつ、ユーザ情報を適切に保護、管理することができる情報処理装置、情報処理装置におけるユーザ管理プログラム及びユーザ管理方法を提供する。【解決手段】複合機は、簡易認証を実現するためのクイックログインモードを有する。このクイックログインモードにおいては、任意にユーザ情報を登録および編集することができる。管理者権限を持たない一般ユーザによって登録されたユーザ情報については、一般ユーザを含め、いずれのユーザによっても編集することが許される。一方、管理者権限を持つ管理者によって登録されたユーザ情報については、これを編集する者が管理者であることを条件として、編集することが許され、それ以外の一般ユーザによっては、編集することが許されない。これにより、第三者によるユーザ情報の不本意な編集が防止される。【選択図】図９
2020057068.tif 000002
【特許請求の範囲】
【請求項１】
予め登録されたユーザ情報に基づいてユーザごとに対応するアイコンを表示する表示手段を備える情報処理装置であって、
任意の前記アイコンに対応する前記ユーザ情報の編集を目的とする編集命令を受け付ける編集命令受付手段、および
前記編集命令に係る前記ユーザ情報が特定の権限を持たない非権限者により登録された非特定登録情報である場合には当該編集命令に従う当該ユーザ情報の編集を許可し、当該編集命令に係る当該ユーザ情報が当該特定の権限を持つ権限者により登録された特定登録情報である場合には当該編集命令の発信者が当該権限者であることを条件として当該編集命令に従う当該ユーザ情報の編集を許可する、許可手段をさらに備える、情報処理装置。
【請求項２】
前記編集命令に係る前記ユーザ情報が前記特定登録情報であって、当該編集命令の発信者が前記非権限者である場合に、所定の警告を出力する警告出力手段をさらに備える、請求項１に記載の情報処理装置。
【請求項３】
外部装置との間で通信を行う通信手段をさらに備え、
前記編集命令受付手段は、前記外部装置から前記通信手段を介して前記編集命令を受け付けることが可能である、請求項１または２に記載の情報処理装置。
【請求項４】
前記表示手段は、前記特定登録情報に基づく前記アイコンと、前記非特定登録情報に基づく前記アイコンと、を互いに異なる態様で表示する、請求項１から３のいずれかに記載の情報処理装置。
【請求項５】
前記表示手段は、前記特定登録情報に基づく前記アイコンのみを表示する第１状態と、前記非特定登録情報に基づく前記アイコンのみを表示する第２状態と、当該特定登録情報に基づくアイコンおよび当該非特定登録情報に基づくアイコンの両方を表示する第３状態と、のいずれかに切り替わることが可能である、請求項１から４のいずれかに記載の情報処理装置。
【請求項６】
前記権限者から前記アイコンの配置の変更を目的とする変更命令を受け付ける変更命令受付手段、および
前記変更命令に従って前記アイコンの配置を変更する変更手段をさらに備える、請求項１から５のいずれかに記載の情報処理装置。
【請求項７】
複合機である、請求項１から６のいずれかに記載の情報処理装置。
【請求項８】
予め登録されたユーザ情報に基づいてユーザごとに対応するアイコンを表示する表示手段を備える情報処理装置におけるユーザ管理プログラムであって、
前記情報処理装置のコンピュータに、
任意の前記アイコンに対応する前記ユーザ情報の編集を目的とする編集命令を受け付ける編集命令受付手順、および
前記編集命令に係る前記ユーザ情報が特定の権限を持たない非権限者により登録された非特定登録情報である場合には当該編集命令に従う当該ユーザ情報の編集を許可し、当該編集命令に係る当該ユーザ情報が当該特定の権限を持つ権限者により登録された特定登録情報である場合には当該編集命令の発信者が当該権限者であることを条件として当該編集命令に従う当該ユーザ情報の編集を許可する、許可手順を実行させる、ユーザ管理プログラム。
【請求項９】
予め登録されたユーザ情報に基づいてユーザごとに対応するアイコンを表示する表示手段を備える情報処理装置におけるユーザ管理方法であって、
任意の前記アイコンに対応する前記ユーザ情報の編集を目的とする編集命令を受け付ける編集命令受付ステップ、および
前記編集命令に係る前記ユーザ情報が特定の権限を持たない非権限者により登録された非特定登録情報である場合には当該編集命令に従う当該ユーザ情報の編集を許可し、当該編集命令に係る当該ユーザ情報が当該特定の権限を持つ権限者により登録された特定登録情報である場合には当該編集命令の発信者が当該権限者であることを条件として当該編集命令に従う当該ユーザ情報の編集を許可する、許可ステップを含む、ユーザ管理方法。
【発明の詳細な説明】
【技術分野】
【０００１】
本発明は、情報処理装置、情報処理装置におけるユーザ管理プログラムおよびユーザ管理方法に関し、特に、予め登録されたユーザ情報に基づいてユーザごとに対応するアイコンを表示する表示手段を備える、情報処理装置、情報処理装置におけるユーザ管理プログラムおよびユーザ管理方法に関する。
【背景技術】
【０００２】
この種の技術の一例が、特許文献１に開示されている。この特許文献１に開示された技術によれば、情報処理装置としての画像形成装置、たとえば複合機（Multifunction Peripheral：ＭＦＰ）、が備える表示手段としてのディスプレイに、予め登録されたユーザ情報に基づいて、ユーザごとに対応するアイコンが表示される。任意のアイコンが操作されると、そのアイコンに対応するユーザについての認証が行われ、複合機の使用が可能となる。すなわち、ユーザは、自身に対応するアイコンを操作するだけで、ログインすることができる。このような簡易認証（または「クイック認証」とも言う。）は、ユーザ操作の手間を軽減するのに極めて有益である。なお、ユーザ情報は、複合機本体の操作により、あるいは、当該複合機に接続されたパーソナルコンピュータ（以下「ＰＣ」と言う。）の操作により、任意に登録することができ、また、削除を含め任意に編集することも可能である。
【先行技術文献】
【特許文献】
【０００３】
【特許文献１】特開２０１５−２２７０４８号公報
【発明の概要】
【発明が解決しようとする課題】
【０００４】
このように簡易認証は、ユーザ操作の手間を軽減するのに極めて有益である。その一方で、ユーザ情報については、任意に編集可能であることから、とりわけ第三者による編集を含め、不本意な編集が行われることのないように、適切に管理する必要がある。
【０００５】
そこで、本発明は、簡易認証によるユーザの利便性を保ちつつ、ユーザ情報を適切に管理することができる、新規な情報処理装置、情報処理装置におけるユーザ管理プログラムおよびユーザ管理方法を提供することを、目的とする。
【課題を解決するための手段】
【０００６】
この目的を達成するために、本発明は、情報処理装置に係る第１の発明、情報処理装置におけるユーザ管理プログラムに係る第２の発明、および情報処理装置におけるユーザ管理方法に係る第３の発明を含む。
【０００７】
このうちの情報処理装置に係る第１の発明は、当該情報処理装置が、予め登録されたユーザ情報に基づいてユーザごとに対応するアイコンを表示する表示手段を備えることを、前提とする。この前提の下、本第１の発明は、編集命令受付手段および許可手段を、さらに備える。編集命令受付手段は、任意のアイコンに対応するユーザ情報の編集を目的とする編集命令を受け付ける。そして、許可手段は、編集命令に係るユーザ情報が特定の権限を持たない非権限者により登録された非特定登録情報である場合には、当該編集命令に従うユーザ情報の編集を許可する。一方、編集命令に係るユーザ情報が特定の権限を持つ権限者により登録された特定登録情報である場合には、許可手段は、当該編集命令の発信者が権限者であることを条件として、当該編集命令に従うユーザ情報の編集を許可する。
【０００８】
なお、ここで言うユーザ情報の編集には、当該ユーザ情報の内容を変更すること、および、当該ユーザ情報を削除すること、が含まれる。
【０００９】
本第１の発明においては、警告出力手段が、さらに備えられてもよい。この警告出力手段は、編集命令に係るユーザ情報が特定登録情報であって、当該編集命令の発信者が非権限者である場合に、所定の警告を出力する。
【００１０】
また、本第１の発明においては、通信手段が、さらに備えられてもよい。この通信手段は、外部装置との間で通信を行う。この場合、編集命令受付手段は、外部装置から通信手段を介して編集命令を受け付けることが可能となるように構成されてもよい。
【００１１】
さらに、本第１の発明においては、表示手段が、特定登録情報に基づくアイコンと、非特定登録情報に基づくアイコンと、を互いに異なる態様で表示するように構成されてもよい。
【００１２】
加えて、表示手段は、第１状態と、第２状態と、第３状態と、のいずれかに切り替わることが可能となるように構成されてもよい。ここで、第１状態は、特定登録情報に基づくアイコンのみを表示する状態である。第２状態は、非特定登録情報に基づくアイコンのみを表示する状態である。そして、第３状態は、特定登録情報に基づくアイコンおよび非特定登録情報に基づくアイコンの両方を表示する状態である。
【００１３】
また、本第１の発明においては、変更命令受付手段および変更手段が、さらに備えられてもよい。このうちの変更命令受付手段は、権限者からアイコンの配置の変更を目的とする変更命令を受け付ける。そして、変更手段は、変更命令に従ってアイコンの配置を変更する。
【００１４】
このような本第１の発明に係る情報処理装置としては、たとえば複合機がある。
【００１５】
本発明のうちの第２の発明に係る情報処理装置におけるユーザ管理プログラムは、当該情報処理装置が、予め登録されたユーザ情報に基づいてユーザごとに対応するアイコンを表示する表示手段を備えることを、前提とする。この前提の下、本第２の発明は、情報処理装置のコンピュータに、編集命令受付手順および許可手順を実行させる。編集命令受付手順では、任意のアイコンに対応するユーザ情報の編集を目的とする編集命令を受け付ける。そして、許可手順では、編集命令に係るユーザ情報が特定の権限を持たない非権限者により登録された非特定登録情報である場合には、当該編集命令に従うユーザ情報の編集を許可する。一方、編集命令に係るユーザ情報が特定の権限を持つ権限者により登録された特定登録情報である場合には、許可手順では、当該編集命令の発信者が権限者であることを条件として、当該編集命令に従うユーザ情報の編集を許可する。
【００１６】
本発明のうちの第３の発明に係る情報処理装置におけるユーザ管理方法は、当該情報処理装置が、予め登録されたユーザ情報に基づいてユーザごとに対応するアイコンを表示する表示手段を備えることを、前提とする。この前提の下、本第３の発明は、編集命令受付ステップおよび許可ステップを含む。編集命令受付ステップでは、任意のアイコンに対応するユーザ情報の編集を目的とする編集命令を受け付ける。そして、許可ステップでは、編集命令に係るユーザ情報が特定の権限を持たない非権限者により登録された非特定登録情報である場合には、当該編集命令に従うユーザ情報の編集を許可する。一方、編集命令に係るユーザ情報が特定の権限を持つ権限者により登録された特定登録情報である場合には、許可ステップでは、当該編集命令の発信者が権限者であることを条件として、当該編集命令に従うユーザ情報の編集を許可する。
【発明の効果】
【００１７】
このような本発明によれば、簡易認証によるユーザの利便性を保ちつつ、ユーザ情報を適切に管理することができる。
【図面の簡単な説明】
【００１８】
【図１】図１は、本発明の第１実施例に係る複合機の電気的な構成を示すブロック図である。
【図２】図２は、本第１実施例に係る複合機と外部装置としてのＰＣとが接続された状態を示す図である。
【図３】図３は、第１実施例におけるクイックログイン画面の一例を示す図である。
【図４】図４は、第１実施例におけるユーザ未登録時のクイックログイン画面の一例を示す図である。
【図５】図５は、第１実施例におけるユーザ未登録時のクイックログイン画面の別の例を示す図である。
【図６】図６は、第１実施例におけるユーザ追加／編集画面の一例を示す図である。
【図７】図７は、第１実施例における新規登録用のユーザ登録画面を含むユーザ追加／編集画面の一例を示すである。
【図８】図８は、第１実施例におけるユーザ追加／編集画面の別の例を示す図である。
【図９】図９は、第１実施例におけるユーザ追加／編集画面のさらに別の例を示す図である。
【図１０】図１０は、第１実施例におけるＰＣのディスプレイに表示される新規登録用のユーザ登録画面の一例を示す図である。
【図１１】図１１は、第１実施例におけるユーザ管理テーブルを概念的に示す図である。
【図１２】図１２は、第１実施例における編集用のユーザ登録画面を含むユーザ追加／編集画面の一例を示すである。
【図１３】図１２は、第１実施例における警告メッセージが表示された状態にあるユーザ追加／編集画面の一例を示す図である。
【図１４】図１４は、第１実施例における主記憶部のＲＡＭ内の構成を概念的に示すメモリマップである。
【図１５】図１５は、第１実施例におけるＣＰＵが実行するユーザ管理タスクの流れを示すフロー図である。
【図１６】図１６は、本発明の第２実施例におけるユーザ追加／編集画面の一例を示す図である。
【図１７】図１７は、本発明の第３実施例におけるユーザ追加／編集画面の表示例を示す図である。
【図１８】図１８は、本発明の第４実施例におけるユーザ追加／編集画面のアイコンの配置を変更する手順を説明するための図である。
【発明を実施するための形態】
【００１９】
［第１実施例］
本発明の第１実施例について、図１に示される複合機１０を例に挙げて説明する。
【００２０】
本第１実施例に係る複合機１０は、コピー機能、プリンタ機能、イメージスキャナ機能、ファクシミリ機能などの複数の機能を備える。このような複合機１０は、たとえばオフィスに設置される。この場合は主に、当該オフィスで働く者が、複合機１０を使用するユーザとなる。併せて、複合機１０のユーザには、当該複合機１０を管理する権限を持つ管理者が含まれる。さらに、オフィス内においては、図２に示される如く複合機１０と１台以上の外部装置としてのＰＣ３０とがネットワーク５０を介して相互に接続される場合がある。ここで言うネットワーク５０は、たとえばＬＡＮ（Local Area Network）であるが、これに限定されない。なお、図示は省略するが、ネットワーク５０には、ＰＣ３０以外にも、ルータやサーバなどの様々な外部装置が接続される場合がある。また、複合機１０は、公衆電話回線に接続される場合もある。
【００２１】
改めて図１を参照して、複合機１０は、画像読取部１２と、画像形成部１４と、制御部１６と、補助記憶部１８と、通信部２０と、表示部２２と、操作部２４と、を備える。これらは、互いに共通のバス２６を介して接続される。
【００２２】
画像読取部１２は、不図示の原稿の画像を読み取って、当該原稿の画像に応じた２次元の画像データを出力する画像読取処理を担う、画像読取手段の一例である。このため、画像読取部１２は、原稿が載置される不図示の原稿載置台を備える。併せて、画像読取部１２は、不図示の光源、複数のミラー、結像レンズ、ラインセンサなどを含む画像読取ユニットや、この画像読取ユニットを移動させる不図示の駆動機構などを備える。さらに、画像読取部１２は、不図示の自動原稿送り装置（Auto Document Feeder：ＡＤＦ）を備えることがある。この画像読取部１２は、とりわけコピー機能、イメージスキャナ機能およびファクシミリ機能（ファクシミリ送信機能）の実現に供される。
【００２３】
画像形成部１４は、不図示の用紙などのシート状の画像記録媒体に電子写真方式によって画像を形成する画像形成処理を担う、画像形成手段の一例である。このため、画像形成部１４は、不図示の感光体ドラム、帯電装置、露光装置、現像装置、転写装置、定着装置などを備える。この画像形成部１４による画像形成処理よって画像が形成された後の用紙、言わば印刷物は、不図示の排紙トレイに排出される。なお、画像形成部１４は、白黒の画像形成処理のみならず、カラーの画像形成処理を行うこともできる。また、画像形成部１４は、電子写真方式に限らず、たとえばインクジェット方式によって、画像形成処理を行うものであってもよい。この画像形成部１４は、とりわけコピー機能、プリンタ機能およびファクシミリ機能（ファクシミリ受信機能）の実現に供される。
【００２４】
制御部１６は、複合機１０の全体的な制御を司る、制御手段の一例である。このため、制御部１６は、制御実行手段としてのＣＰＵ（Central Processing Unit）１６ａを有する。併せて、制御部１６は、ＣＰＵ１６ａが直接的にアクセス可能な主記憶手段としての主記憶部１６ｂを有する。主記憶部１６ｂは、不図示のＲＯＭ（Read Only Memory）およびＲＡＭ（Random Access Memory）を含む。このうちのＲＯＭには、ＣＰＵ１６ａの動作を制御するための制御プログラム（ファームウェア）が記憶されている。そして、ＲＡＭは、ＣＰＵ１６ａが制御プログラムに基づく処理を実行する際の作業領域およびバッファ領域を構成する。
【００２５】
補助記憶部１８は、不図示のハードディスクやフラッシュメモリなどの不揮発性メモリを含む、補助記憶手段の一例である。この補助記憶部１８は、前述の画像読取部１２から出力される画像データや、次に説明する通信部２０を介して受信された各種のデータの保存先として指定されることがある。
【００２６】
通信部２０は、前述のネットワーク５０と接続されることで、当該ネットワーク５０を介しての双方向の通信処理を担う、通信手段の一例である。この通信部２０とネットワーク５０との接続は、有線であってもよいし、無線であってもよい。また、通信部２０は、前述の公衆電話回線と接続されることで、当該公衆電話回線を介しての双方向の通信処理をも担う。この通信部２０は、とりわけプリンタ機能およびファクシミリ機能の実現に供される。また、イメージスキャナ機能を含め、複合機１０と各種の外部装置との間で種々のデータの送受信が行わる場合があるが、通信部２０は、そのようなデータ送受信機能の実現にも供される。
【００２７】
表示部２２は、表示手段としてのディスプレイ２２ａを有する。ディスプレイ２２ａは、たとえば液晶ディスプレイ（ＬＣＤ）であるが、これに限らず、有機エレクトロルミネッセンス（ＥＬ）ディスプレイなどであってもよい。また、表示部２２は、ディスプレイ２２ａの他に、不図示の発光ダイオード（ＬＥＤ）などの適宜の発光素子を有する。
【００２８】
操作部２４は、ユーザの操作を受け付ける操作受付手段の一例であり、とりわけシート状のタッチパネル２４ａを有する。このタッチパネル２４ａは、ディスプレイ２２ａの表示面上に重なるように設けられる。このタッチパネル２４ａは、たとえば静電容量方式のものであるが、これに限らず、電磁誘導方式、抵抗膜方式、赤外線方式などの他の方式のものであってもよい。また、操作部２４は、タッチパネル２４ａの他に、不図示の押しボタンスイッチなどの適宜のハードウェアスイッチを有する。
【００２９】
さて、本第１実施例に係る複合機１０は、前述の簡易認証を実現するためのクイックログインモードという動作モードを有する。このクイックログインモードにおいては、ホーム画面（基本画面）として、たとえば図３に示されるようなクイックログイン画面１００がディスプレイ２２ａに表示される。
【００３０】
このクイックログイン画面１００は、帯状表示領域１２０と、主表示領域１４０と、を含む。このうちの帯状表示領域１２０は、クイックログイン画面１００における上部を占める横長の帯状の領域である。この帯状表示領域１２０には、たとえばコピー機能を選択するためのボタン（厳密にはボタンを模した図柄）１２２と、ファクシミリ機能を選択するためのボタン１２４と、イメージスキャナ機能を選択するためのボタン１２６と、が配される。併せて、帯状表示領域１２０には、管理者がログインするための管理者用ログインボタン１２８と、ジョブの状況を確認するためのジョブ状況確認ボタン１３０と、が配される。
【００３１】
一方、主表示領域１４０は、クイックログイン画面１００における帯状表示領域１２０以外の領域であり、言わば当該クイックログイン画面１００における大部分を占める矩形状の領域である。この主表示領域１４０における上部には、クイックログイン画面１００のタイトルを表す適当な文字列１４２が配される。そして、この文字列１４２の下方に、それぞれのユーザごとに対応付けられたアイコン１４４が配される。なお、図３は、１０人分のアイコン１４４、１４４、…、つまり１０個のアイコン１４４、１４４、…が、横方向へ５個、縦方向へ２個、の並びで配された例を示すが、当該アイコン１４４の数や配置などについては、これに限らない。図示は省略するが、とりわけアイコン１４４の数については、たとえば１０個を超える場合には、全てのアイコン１４４、１４４、…が表示されるような適宜の工夫、たとえばページをスクロールさせたり当該ページを切り替えたりするなどの工夫が、施される。さらに、それぞれのアイコン１４４の下方に、当該アイコン１４４に対応するユーザの名称であるログイン名を表す文字列１４６が配される。加えて、主表示領域１４０の右上部には、後述するアクションパネル１５０を開閉するためのタブ１４８が配される。
【００３２】
このクイックログイン画面１００において、ユーザは、自身に対応するアイコン１４４を操作（タップ）するだけで、複合機１０の使用に際しての許可である認証を受けることができ、つまりログインすることができる。ただし、後述するパスワードが設定されているアイコン１４４（ユーザ）については、当該パスワードの入力が必要になる。また、管理者は、管理者用ログインボタン１２８を押下し、さらに、この管理者用ログインボタン１２８の押下に応答して表示される不図示のログイン画面上で特定のコードやパスワードなどの必要な認証用情報を入力することで、当該管理者としてログインすることができる。この管理者としてログインした当該管理者は、アイコン１４４を操作することによりログインした言わば一般ユーザとは異なり、複合機１０の詳細な設定を含む当該複合機１０が備える全ての機能を使用することができる。言い換えれば、一般ユーザについては、複合機１０が備える全機能のうち使用可能な機能が制限される。
【００３３】
ところで、それぞれのアイコン１４４を含むクイックログイン画面１００は、予め登録されたユーザ情報に基づいて表示される。このユーザ情報は、次の要領で登録される。
【００３４】
まず、何らのユーザ情報が登録されていない時点では、つまりこれから初めてユーザ情報の登録が行われようとしている時点では、図４に示されるようなクイックログイン画面１００が表示される。すなわち、アイコン１４４および文字列１４６がないクイックログイン画面１００が表示される。
【００３５】
この図４に示されるクイックログイン画面１００において、タブ１４８が操作されると、当該クイックログイン画面１００は、図５に示されるような状態に遷移する。すなわち、主表示領域１４０の右側部の一部を覆うように、アクションパネル１５０が表示される。このアクションパネル１５０には、次に説明するユーザ追加／編集画面２００を表示させるためのユーザ追加／編集ボタン１５２が含まれる。
【００３６】
図５に示されるクイックログイン画面１００において、アクションパネル１５０内のユーザ追加／編集ボタン１５２が押下されると、当該クイックログイン画面１００に代えて、図６に示されるユーザ追加／編集画面２００が、ディスプレイ２２ａに表示される。このユーザ追加／編集画面２００は、主表示領域１４０の表示内容が、クイックログイン画面１００におけるのと異なる画面である。これ以外は、ユーザ追加／編集画面２００とクイックログイン画面１００とで共通するので、これら共通する部分については、同じ符号を付して、それらの説明を省略する。
【００３７】
図６に示されるユーザ追加／編集画面２００における主表示領域１４０の上部には、当該ユーザ追加／編集画面２００のタイトルを表す適当な文字列１６２が配される。そして、この文字列１６２の下方に、適当な図柄の複数の、たとえば１０個の、未登録アイコン１６４、１６４、…が、横方向へ５個、縦方向へ２個、の並びで配される。
【００３８】
この図６に示されるユーザ追加／編集画面２００において、任意の未登録アイコン１６４が操作されると、当該ユーザ追加／編集画面２００は、図７に示されるような状態に遷移する。すなわち、主表示領域１４０の左側部から略中央部に掛けての一部を覆うように、新規登録用のユーザ登録画面３００という小画面が表示される。
【００３９】
この新規登録用のユーザ登録画面３００の上部には、当該ユーザ登録画面３００のタイトルを表す適当な文字列３０２と、当該ユーザ登録画面３００による登録内容を設定するための登録ボタン３０４と、当該ユーザ登録画面３００を閉じるための閉じるボタン３０６と、が横並びに配される。そして、これらの下方に、前述（図３）のアイコン１４４の原図であるアイコンイメージ３０８が配される。さらに、このアイコンイメージ３０８の下方に、複数の、たとえば４つの、フィールド３１０、３１２、３１４および３１６が、縦一列に配される。一番上のフィールド３１０は、これから登録しようとするユーザのログイン名を入力するためのフィールドであり、２番目のフィールド３１２は、当該ユーザの電子メール（E-mail）のアドレスを登録するためのフィールドである。そして、３番目のフィールド３１４は、これから登録しようとするユーザ用の任意のパスワードを入力するためのフィールドであり、一番下のフィールド３１６は、確認のために当該パスワードを再入力するためのフィールドである。
【００４０】
加えて、前述のタブ１４８が操作されると、アクションパネル１５０が表示される。ただし、この図７におけるアクションパネル１５０には、アイコンイメージ３０８を変更するための、つまりアイコン１４４を変更するための、アイコン変更ボタン１５４が、表示される。
【００４１】
この図７に示される新規登録用のユーザ登録画面３００およびアクションパネル１５０を含むユーザ追加／編集画面２００において、たとえば当該アクションパネル１５０内のアイコン変更ボタン１５４が操作されると、不図示のアイコン選択画面が表示される。このアイコン選択画面は、多数のアイコンサンプルを含む。任意のアイコンサンプルが選択（操作）されると、その選択されたアイコンサンプルに応じたアイコンイメージ３０８が表示される。併せて、アイコン選択画面が閉じられる。そして、一番上のフィールド３１０に、任意（希望）のログイン名が入力される。なお、２番目のフィールド３１２へのメールアドレスの入力は、必須ではなく、任意である。また、３番目のフィールド３１４および一番下のフィールド３１６へのパスワードの入力も、必須ではなく、任意である。これらのフィールド３１０、３１２、３１４および３１６への入力に際しては、不図示のソフトウェアキーボードが表示される。
【００４２】
少なくとも一番上のフィールド３１０へのログイン名の入力が行われた上で、登録ボタン３０４が操作されると、当該ログイン名を含む各登録内容が設定される。併せて、ユーザ登録画面３００が閉じられる。そして、ユーザ追加／編集画面２００は、図８に示されるような状態に遷移する。なお、ユーザ登録画面３００の閉じるボタン３０６が操作された場合は、そのまま当該ユーザ登録画面３００が閉じられ、つまり当該ユーザ登録画面３００が表示される前の状態に戻る。
【００４３】
図８に示されるユーザ追加／編集画面２００においては、前述のユーザ登録画面３００により登録された内容に基づいて、ユーザのアイコン１４４および当該ユーザのログイン名を表す文字列１４６が表示される。これと同様の要領で、他のユーザについても任意に登録することができる。たとえば、１０人分のユーザについての登録が行われることにより、ユーザ追加／編集画面２００は、図９に示されるような状態となる。
【００４４】
この図９に示されるユーザ追加／編集画面２００において、タブ１４８が操作されると、図示は省略するが、アクションパネル１５０が表示される。このアクションパネル１５０には、クイックログイン画面１００に戻るためのログイン画面にもどるボタンが用意されている。このログイン画面にもどるボタンが操作されると、ユーザ追加／編集画面２００に代えて、前述の図３に示されるクイックログイン画面１００が、ディスプレイ２２ａに表示される。また、操作部２４を構成する不図示のホームボタンが操作されることによっても、ユーザ追加／編集画面２００に代えて、クイックログイン画面１００が表示される。
【００４５】
なお、前述の管理者としてログインした当該管理者もまた、同様の要領で、任意にユーザの登録を行うことができる。また、管理者は、いずれかのＰＣ３０（図２参照）を用いて複合機１０にログインするとともに、当該ＰＣ３０からもユーザ登録を行うことができる。この場合は、たとえば図１０に示されるような新規登録用のユーザ登録画面４００がＰＣ３０の不図示のディスプレイに表示される。
【００４６】
この図１０に示されるユーザ登録画面４００においては、その上部に、当該ユーザ登録画面４００のタイトルを表す文字列４０２が表示される。そして、この文字列４０２の下方に、複数の、たとえば４つの、フィールド４０４、４０６、４０８および４１０が、縦一列に配される。一番上のフィールド４０４は、これから登録しようとするユーザのログイン名を入力するためのフィールドであり、２番目のフィールド４０６は、当該ユーザの電子メールのアドレスを登録するためのフィールドである。そして、３番目のフィールド４０８は、これから登録しようとするユーザ用の任意のパスワードを入力するためのフィールドであり、一番下のフィールド４１０は、確認のために当該パスワードを再入力するためのフィールドである。さらに、これら各フィールド４０４、４０６、４０８および４１０の下方に、前述（図３）のアイコン１４４の原図であるアイコンイメージ４１２が配される。加えて、アイコンイメージ４１２の下方に、このユーザ登録画面４００による登録内容を設定するための登録ボタン４１４と、当該ユーザ登録画面４００によるユーザ登録をキャンセルするためのキャンセルボタン４１６と、が横並びに配される。
【００４７】
この図１０に示されるユーザ登録画面４００においても、前述（図７）のユーザ登録画面２００と同様の要領で、ユーザ登録を行うことができる。なお、図示は省略するが、アイコンイメージ４１２が操作（たとえばダブルクリック）されることで、前述と同様のアイコン選択画面が表示される。そして、少なくとも一番上のフィールド４０４へのログイン名の入力が行われた上で、登録ボタン４１４が操作（たとえばシングルクリック）されると、当該ログイン名を含む各登録内容が設定される。併せて、ユーザ登録画面４００が閉じられる。一方、キャンセルボタン４１６が操作されると、そのままユーザ登録画面４００が閉じられ、つまり当該ユーザ登録画面４００が表示される前の状態に戻る。
【００４８】
このようにして複合機１０本体の操作により、または、ＰＣ３０の操作により、ユーザ登録が行われると、図１１に示されるようなユーザ管理テーブル５００に、当該ユーザ登録に係るユーザ情報が記録される。具体的には、整理番号（Ｎｏ．）、ログイン名、電子メールアドレス、パスワード、アイコン（厳密にはアイコンの番号）などが、当該ユーザ情報として記録される。また、管理者としてログインした当該管理者により、言わば管理者権限により、ユーザ登録が行われた場合は、その旨（一種のフラグ）が記録される。なお前述したように、メールアドレスおよびパスワードの入力（登録）ついては、任意である。また、ユーザ管理テーブル５００は、たとえば制御部１６の主記憶部１６ｂに記憶される。
【００４９】
本第１実施例においては、登録されたユーザ情報を編集することも可能である。この場合は、たとえば図９に示されるユーザ追加/編集画面２００において、編集の対象となるユーザ情報に対応するアイコン１４４が操作される。すると、ユーザ追加／編集画面２００が、図１２に示されるような状態に遷移する。すなわち、主表示領域１４０の左側部から略中央部に掛けての一部を覆うように、編集用のユーザ登録画面６００という小画面が表示される。なお、図１２は、図９に示されるユーザ追加/編集画面２００において、「ユーザＡ」に対応するアイコン１４４が操作された場合の状態を示す。
【００５０】
この編集用のユーザ登録画面６００においては、前述（図７）の新規登録用のユーザ登録画面３００と同様、その上部に、当該ユーザ登録画面６００のタイトルを表す適当な文字列６０２が配される。併せて、この編集用のユーザ登録画面６００による登録（編集）内容を設定するための登録ボタン６０４と、当該ユーザ登録画面６００を閉じるための閉じるボタン６０６と、が横並びに配される。そして、これらの下方に、アイコンイメージ６０８が配される。さらに、アイコンイメージ６０８の下方に、４つのフィールド６１０および６１２が縦一列に配される。上側のフィールド６１０は、ログイン名を編集するためのフィールドであり、下側のフィールド６１２は、メールアドレスを編集するためのフィールドである。
【００５１】
加えて、前述のタブ１４８が操作されると、アクションパネル１５０が表示される。この図１２におけるアクションパネル１５０には、アイコン変更ボタン１５４の他に、編集対象であるユーザ情報を削除するための、つまり登録済のユーザを削除するための、削除ボタン１５６が、表示される。
【００５２】
この図１２に示される編集用のユーザ登録画面６００およびアクションパネル１５０を含むユーザ追加／編集画面２００において、たとえば当該アクションパネル１５０内のアイコン変更ボタン１５４が操作されると、前述のアイコン選択画面が表示される。このアイコン選択画面により、アイコンイメージ６０８を編集（変更）することができる。そして、上側のフィールド６１０において、ログイン名を任意に編集することができ、下側のフィールド６１２において、メールアドレスを任意に編集することができる。これらのフィールド６１０および６１２に入力された情報の編集に際しては、不図示のソフトウェアキーボードが表示される。なお、パスワードについては、編集することができない。また、パスワードが設定されたユーザ情報については、当該パスワードを入力することなく、編集することができる。
【００５３】
これらの編集が行われた上で、登録ボタン６０４が操作されると、当該編集された内容が設定され、つまりユーザ管理テーブル５００の内容が更新される。併せて、ユーザ登録画面６００が閉じられる。そして、ユーザ追加／編集画面２００は、編集された内容が反映された状態に遷移する。なお、ユーザ登録画面６００の閉じるボタン６０６が操作された場合は、そのまま当該ユーザ登録画面６００が閉じられ、つまり当該ユーザ登録画面６００が表示される前の状態に戻る。さらに、アクションパネル１５０内の削除ボタン１５６が操作された場合は、編集対象であるユーザ情報が削除される。そして、ユーザ追加／編集画面２００は、当該ユーザ情報が削除された後のユーザ管理テーブル５００の内容に基づいた状態となる。
【００５４】
なお、前述の管理者としてログインした当該管理者もまた、同様の要領で、任意のユーザ情報を編集することができる。また、管理者は、いずれかのＰＣ３０（図２参照）を用いて複合機１０にログインするとともに、当該ＰＣ３０からもユーザ情報の編集を行うことができる。このＰＣ３０を用いてのユーザ情報の編集要領については、その詳細な説明を省略する。
【００５５】
このように本第１実施例においては、登録されたユーザ情報を編集することができるが、これが無制限に認められると、とりわけ第三者により当該ユーザ情報が不本意に編集されてしまうなどの、不都合が生じる。本第１実施例では、簡易認証によるユーザの利便性を保ちつつ、ユーザ情報の不本意な編集を防止して、当該ユーザ情報の適切な管理を実現するべく、次のような工夫が施される。
【００５６】
すなわち、一般ユーザにより登録されたユーザ情報については、当該一般ユーザを含め、いずれのユーザによっても編集することが許される。これに対して、管理者により登録されたユーザ情報については、これを編集する者が当該管理者であることを条件として、編集することが許され、それ以外の者、つまり一般ユーザ、によっては、編集することが許されない。なお、ユーザ情報が一般ユーザおよび管理者のいずれにより登録されたのかについては、前述（図１１）のユーザ管理テーブル５００における管理者権限の有無に基づいて判断される。
【００５７】
たとえば、図９に示されるユーザ追加／編集画面２００において、管理者により登録されたユーザ情報に対応するアイコン１４４が、一般ユーザにより、つまり管理者用ログインボタン１２８が押下されることなく、操作される、とする。すると、図１３に示されるような警告メッセージ（メッセージボックス）７００が、ユーザ追加／編集画面２００上に表示される。この警告メッセージ７００は、数秒間〜十数秒間程度の適当な時間にわたって表示される。その後、ユーザ追加／編集画面２００は、図９に示される状態に戻る。このようにして、ユーザ情報の不本意な編集が防止され、当該ユーザ情報の適切な管理が実現される。なお、警告メッセージ７００の表示に代えて、または、これに加えて、警告のための適当な音声アナウンスが不図示の音声出力手段としてのスピーカから出力されてもよい。
【００５８】
ここで、図１４に、主記憶部１６ｂのＲＡＭ内の構成を概念的に表すメモリマップ８０を示す。
【００５９】
このメモリマップ８０に示されるように、ＲＡＭは、プログラム記憶領域８００およびデータ記憶領域８５０を有する。このうちのプログラム記憶領域８００には、前述の制御プログラムが記憶される。具体的には、制御プログラムは、表示制御プログラム８０２、操作検出プログラム８０４、画像読取プログラム８０６、画像形成プログラム８０８、通信制御プログラム８１０、ユーザ管理プログラム８１２などを含む。
【００６０】
表示制御プログラム８０２は、ディスプレイ２２ａにクイックログイン画面１００やユーザ追加／編集画面２００などの各種の画面を表示させるのに必要な表示画面データを生成するためのプログラムである。操作検出プログラム８０４は、タッチパネル２４ａへの操作状態を検出するためのプログラムである。画像読取プログラム８０６は、画像読取部１２を制御するためのプログラムである。画像形成プログラム８０８は、画像形成部１４を制御するためのプログラムである。通信制御プログラム８１０は、通信部２０を制御するためのプログラムである。そして、ユーザ管理プログラム８１２は、ＣＰＵ１６ａに後述するユーザ管理タスクを実行させるためのプログラムである。
【００６１】
一方、データ記憶領域８５０には、各種のデータが記憶される。この各種のデータとしては、表示画像生成データ８５２、操作データ８５４、前述のユーザ管理テーブル５００などがある。
【００６２】
表示画像生成データ８５２は、前述の表示制御プログラム８０２に基づく表示画面データの生成に用いられるポリゴンデータやテクスチャデータなどのデータである。操作データ８５４は、タッチパネル２４ａに対する操作状態を表すデータであり、詳しくは当該タッチパネル２４ａに対するユーザのタッチ位置（座標）を表す時系列のデータである。そして、ユーザ管理テーブル５００には、前述の如くそれぞれのユーザに係るユーザ情報が記録される。
【００６３】
前述したように、本第１実施例によれば、登録済のユーザ情報を編集することができる一方、この編集に際して一定の制限が設けられるが、これを実現するために、ＣＰＵ１６ａは、前述（図１４）のユーザ管理プログラム８１２に従って、ユーザ管理タスクを実行する。このユーザ管理タスクの流れを、図１５に示す。なお、ＣＰＵ１６ａは、前述（たとえば図５）のクイックログイン画面１００におけるアクションパネル１５０内のユーザ追加／編集ボタン１５２が押下されることで、このユーザ管理タスクを実行する。
【００６４】
このユーザ管理タスクによれば、ＣＰＵ１６ａは、まず、ステップＳ１において、ディスプレイ２２ａにユーザ追加／編集画面２００を表示する。このユーザ追加／編集画面２００の表示内容は、ユーザ管理テーブル５００の記録内容に基づく。そして、ＣＰＵ１６ａは、処理をステップＳ３へ進める。
【００６５】
ステップＳ３において、ＣＰＵ１６ａは、タッチパネル２４ａを含む操作部２４に対して何らかの操作が行われるのを待つ（Ｓ３：ＮＯ）。そして、操作部２４が何らかの操作を受け付けると（Ｓ３：ＹＥＳ）、ＣＰＵ１６ａは、処理をステップＳ５へ進める。
【００６６】
ステップＳ５において、ＣＰＵ１６ａは、ステップＳ３で受け付けられた操作が終了操作であるかどうか、つまりユーザ追加／編集画面２００のアクションパネル１５０内に用意されている前述のログイン画面にもどるボタンの操作であるかどうか、を判定する。ここでたとえば、ステップＳ３で受け付けられた操作が終了操作である場合、つまりログイン画面にもどるボタンの操作である場合（Ｓ５：ＹＥＳ）、ＣＰＵ１６ａは、ユーザ管理タスクを終了する。そして、ＣＰＵ１６ａは、不図示の別のタスク（クロックログインタスク）により、クイックログインモードに戻り、前述（図５など）のクイックログイン画面１００をディスプレイ２２ａに表示する。一方、ステップＳ３で受け付けられた操作が終了操作でない場合は（Ｓ５：ＮＯ）、ＣＰＵ１６ａは、処理をステップＳ５からステップＳ７へ進める。
【００６７】
ステップＳ７において、ＣＰＵ１６ａは、ステップＳ３で受け付けられた操作がいずれかのアイコン１４４を選択する操作であるかどうかを判定する。ここでたとえば、ステップＳ３で受け付けられた操作がいずれかのアイコン１４４を選択する操作でない場合（Ｓ７：ＮＯ）、ＣＰＵ１６ａは、処理をステップＳ９へ進める。一方、ステップＳ３で受け付けられた操作がいずれかのアイコン１４４を選択する操作である場合は（Ｓ７：ＹＥＳ）、ＣＰＵ１６ａは、処理を後述するステップＳ１１へ進める。
【００６８】
ステップＳ９において、ＣＰＵ１６ａは、ステップＳ３で受け付けられた操作に応じた処理を実行する。このステップＳ９における処理には、ユーザ情報の新規登録のための処理や当該ユーザ情報の編集のための処理なども含まれる。そして、ＣＰＵ１６ａは、処理をステップＳ３へ戻す。
【００６９】
前述のステップＳ７からステップＳ１１へ処理を進めたＣＰＵ１６ａは、当該ステップＳ１１において、対象のユーザ情報が管理者によって登録された情報であるかどうかを、つまり当該ユーザ情報を編集するのに管理者権限が必要であるかどうかを、判定する。ここでたとえば、対象のユーザ情報が管理者によって登録された情報でない場合、つまり当該ユーザ情報を編集するのに管理者権限が必要でない場合（Ｓ１１：ＮＯ）、ＣＰＵ１６ａは、処理をステップＳ１３へ進める。一方、対象のユーザ情報が管理者によって登録された情報である場合、つまり当該ユーザ情報を編集するのに管理者権限が必要である場合（Ｓ１１：ＹＥＳ）は、ＣＰＵ１６ａは、処理を後述するステップＳ１５へ進める。
【００７０】
ステップＳ１３において、ＣＰＵ１６ａは、ユーザ情報編集処理を行う。具体的には、ＣＰＵ１６ａは、編集用のユーザ登録画面６００（図１２参照）を表示する。そして、ＣＰＵ１６ａは、この編集用のユーザ登録画面６００におけるユーザ操作に応じて、ユーザ管理テーブル５００内の対応するユーザ情報を編集し、つまり当該ユーザ管理テーブル５００を更新する。このステップＳ１３のユーザ情報編集処理の実行後、ＣＰＵ１６ａは、処理をステップＳ３へ戻す。その際、ＣＰＵ１６ａは、編集用のユーザ登録画面６００の表示を終了させた上で、更新後のユーザ管理テーブル５００に基づいてユーザ追加／編集画面２００を再表示する。
【００７１】
前述のステップＳ１１からステップＳ１５へ処理を進めたＣＰＵ１６ａは、当該ステップＳ１５において、今現在のユーザが管理者であるかどうか、つまり管理者権限を持つかどうかを、判定する。ここでたとえば、現在のユーザが管理者である場合、つまり管理者権限を持つ場合（Ｓ１５：ＹＥＳ）、ＣＰＵ１６ａは、処理をステップＳ１３へ進める。一方、今現在のユーザが管理者でない場合、つまり管理者権限を持たない一般ユーザである場合は（Ｓ１５：ＮＯ）、ＣＰＵ１６ａは、処理をステップＳ１７へ進める。なお、今現在のユーザが管理者であるかどうかは、不図示の別のタスク（管理者ログインタスク）により判断される。
【００７２】
ステップＳ１７において、ＣＰＵ１６ａは、前述（図１３）のメッセージ７００を表示する。そして、ＣＰＵ１６ａは、処理をステップＳ３へ戻す。
【００７３】
以上のように、本第１実施例によれば、登録済のユーザ情報を編集することができる一方、この編集に際して一定の制限が設けられる。これにより、簡易認証によるユーザの利便性を保ちつつ、ユーザ情報の適切な管理を実現することができる。
【００７４】
［第２実施例］
次に、本発明の第２実施例について、図１６を参照して説明する。
【００７５】
本第２実施例においては、ユーザ追加／編集画面２００の構成に工夫が施されている。すなわち、図１６に示されるように、本第２実施例におけるユーザ追加／編集画面２００においては、いくつかのアイコン１４４に★印１４４ａが付される。この★印１４４ａは、これが付されたアイコン１４４に対応するユーザ情報が、管理者により登録された情報であること、つまり管理者でなければ編集することができない情報であること、を表す。要するに、管理者により登録されたユーザ情報に対応するアイコン１４４と、管理者ではない一般ユーザにより登録されたユーザ情報に対応するアイコン１４４と、が異なる態様で表示される。
【００７６】
このような工夫が施された本第２実施例によれば、それぞれのユーザ情報が管理者により登録された情報であるのか、それとも一般ユーザにより登録された情報であるのかを、直観的に把握することができる。このことは、ユーザ情報の効率的な管理に有益である。
【００７７】
なお、★印１４４ａを付すことによる差別化に限らず、それぞれのアイコン１４４に特定の色彩や模様を付すことなどにより差別化が図られてもよい。また、パスワードが設定されたユーザ情報と、当該パスワードが設定されていないユーザ情報と、についても、同様に差別化が図られてもよい。そして、クイックログイン画面１００においても、同様に差別化が図られてもよい。
【００７８】
［第３実施例］
次に、本発明の第３実施例について、図１７を参照して説明する。
【００７９】
本第３実施例においても、ユーザ追加／編集画面２００の構成に工夫が施されている。具体的には、本第３実施例においては、ユーザ追加／編集画面２００の構成を、図１７（Ａ）に示される第１の構成と、図１７（Ｂ）に示される第２の構成と、図１７（Ｃ）に示される第３の構成と、の中から任意に選択することができる。図１７（Ａ）に示される第１の構成は、ユーザ管理テーブル５００に記録されているユーザ情報のうち一般ユーザにより登録されたユーザ情報に対応するアイコン１４４のみが表示された構成である。そして、図１７（Ｂ）に示される第２の構成は、ユーザ管理テーブル５００に記録されているユーザ情報のうち管理者により登録されたユーザ情報に対応するアイコン１４４のみが表示された構成である。そして、図１７（Ｃ）に示される第３の構成は、ユーザ管理テーブル５００に記録されている全てのユーザ情報に対応するアイコン１４４が表示された構成である。これら３つの構成のうちのいずれを表示させるのかについては、管理者としてログインした当該管理者のみにより操作可能な不図示の設定画面により任意に設定することができる。
【００８０】
このような工夫が施された本第３実施例によれば、どのようなユーザが複合機１０を使用するのかを含む当該複合機１０の使用状況に応じて、適切なユーザ追加／編集画面２００を当該ユーザに呈示することができる。このことは特に、複合機１０の使い勝手の向上に貢献する。
【００８１】
なお、本第３実施例においては、前述の第２実施例に倣って、★印１４４ａを付すことによる差別化が図られているが、このような差別化は図られなくてもよい。すなわち、★印１４４ａについては、表示されなくてもよい。
【００８２】
また、図１７に示される３つの構成については、相互に切替可能とされてもよい。いずれの構成を有効化させるのか（つまり図１７に示される３種類のユーザ追加／編集画面２００のいずれを表示させるのか）の設定は、管理者により行われてもよいし、管理者以外の一般ユーザにより行われるようにしてもよい。
【００８３】
［第４実施例］
次に、本発明の第４実施例について、図１８を参照して説明する。
【００８４】
本第４実施例においては、ユーザ追加／編集画面２００におけるそれぞれのアイコン１４４の配置（レイアウト）を任意に変更することができる。たとえば、図１８（Ａ）に示されるように、「ユーザＣ」に対応するアイコン１４４が押下された状態で、当該アイコン１４４が破線の矢印９００で示される如く左横方へスライド（スワイプ）される、とする。そして、この「ユーザＣ」に対応するアイコン１４４が「ユーザＢ」に対応するアイコン１４４の位置にまでスライドされたところで、当該「ユーザＣ」に対応するアイコン１４４の押下状態が解除される（「ユーザＣ」に対応するアイコン１４４から指が離される）、とする。すると、図１８（Ｂ）に示されるように、「ユーザＣ」に対応するアイコン１４４の位置と、「ユーザＢ」に対応するアイコン１４４の位置とが、互いに入れ替わる。すなわち、各アイコン１４４および１４４の位置をスワップすることができる。この変更されたそれぞれのアイコン１４４の位置は、クイックログイン画面１００にも反映される。
【００８５】
このような本第４実施例によれば、登録されているユーザ情報の数を含む複合機１０の使用状況や環境に応じて、適切なクイックログイン画面１００をユーザに呈示することができる。このこともまた、複合機１０の使い勝手の向上に大きく貢献する。
【００８６】
なお、本第４実施例におけるそれぞれのアイコン１４４の位置の変更は、管理者としてログインした当該管理者のみにより実行可能であるが、管理者以外の一般ユーザによっても実行可能とされてもよい。また、本第４実施例においても、前述の第２実施例に倣って、★印１４４ａを付すことなどによる差別化が図られてもよい。
【００８７】
［その他の適用例］
以上の各実施例は、本発明の具体例であり、本発明の技術的範囲を限定するものではない。これら各実施例以外の局面にも、本発明を適用することができる。
【００８８】
たとえば、パスワードについては、編集不可としたが、当該パスワードについても、編集可能としてもよい。
【００８９】
また、管理者については、ＰＣ３０を用いてのユーザ情報の登録および編集を可能としたが、一般ユーザについても、当該ＰＣ３０を用いてのユーザ情報の登録および編集を可能としてもよい。ただし、この場合も、一般ユーザによる編集に関しては、一定の制限が設けられることが、肝要である。
【００９０】
そして、各実施例では、複合機１０に本発明が適用される例を説明したが、これに限らない。複合機１０以外の情報処理装置にも当然に、本発明を適用することができる。
【００９１】
なお、前述の如くユーザ追加／編集画面２００において、ユーザ情報の編集を目的として任意のアイコン１４４が操作されることが、本発明に係る編集命令に対応し、換言すれば当該編集命令の一例である。そして、このアイコン１４４の操作を受け付けるタッチパネル２４ａは、ＣＰＵ１６ａと協働して、本発明に係る編集命令受付手段の一例を構成する。さらに、ＰＣ３０を用いてのユーザ情報の編集が行われる場合には、その編集のための命令をＣＰＵ１６ａが受けることになるが、この場合のＣＰＵ１６ａもまた、本発明に係る編集命令受付手段の一例を成す。
【００９２】
加えて、前述の管理者権限は、本発明に係る特定の権限の一例であり、当該管理者権限を持つ管理者は、本発明に係る権限者の一例である。そして、管理者により登録されたユーザ情報は、本発明に係る特定登録情報の一例である。一方、管理者権限を持たない一般ユーザは、本発明に係る非権限者の一例である。そして、一般ユーザにより登録されたユーザ情報は、本発明に係る非特定登録情報の一例である。
【００９３】
また、ユーザ情報の編集を許可するかどうかは、ＣＰＵ１６ａによって判定されるが、このようなＣＰＵ１６ａは、詳しくは前述（図１５）のユーザ管理タスクにおける特にステップＳ１５を実行する当該ＣＰＵ１６ａは、本発明に係る許可手段の一例である。そして、ステップＳ１７を実行することにより警告メッセージ７００を表示するＣＰＵ１６ａは、ディスプレイ２２ａと協働して、本発明に係る警告出力手段を構成する。
【００９４】
さらに、図１７を参照して説明した第３実施例における第１の構成は、本発明に係る第２状態の一例である。そして、第３実施例における第２の構成は、本発明に係る第１状態の一例である。また、第３実施例における第３の構成は、本発明に係る第３状態の一例である。
【００９５】
そしてさらに、図１８を参照して説明した第４実施例におけるそれぞれのアイコン１４４の位置の変更は、ＣＰＵ１６ａが当該アイコン１４４の操作を受けて行うが、このようなＣＰＵ１６ａは、本発明に係る変更手段の一例である。併せて、当該ＣＰＵ１６ａは、タッチパネル２４ａと協働して、変更命令受付手段の一例を構成する。また、このアイコン１４４の位置の変更を目的として当該アイコン１４４が操作されることは、本発明に係る変更命令の一例である。
【符号の説明】
【００９６】
１０  …複合機
１６  …制御部
１６ａ  …ＣＰＵ
２０  …通信部
２２  …表示部
２２ａ  …ディスプレイ
２４  …操作部
２４ａ  …タッチパネル
１４４  …アイコン
５００  …ユーザ管理テーブル
【図１】
2020057068.tif 000003
【図２】
2020057068.tif 000004
【図３】
2020057068.tif 000005
【図４】
2020057068.tif 000006
【図５】
2020057068.tif 000007
【図６】
2020057068.tif 000008
【図７】
2020057068.tif 000009
【図８】
2020057068.tif 000010
【図９】
2020057068.tif 000011
【図１０】
2020057068.tif 000012
【図１１】
2020057068.tif 000013
【図１２】
2020057068.tif 000014
【図１３】
2020057068.tif 000015
【図１４】
2020057068.tif 000016
【図１５】
2020057068.tif 000017
【図１６】
2020057068.tif 000018
【図１７】
2020057068.tif 000019
【図１８】
2020057068.tif 000020